(57)【要約】【課題】  屋根用足場の設置作業性を簡易にするとともに、設置構造を簡素にしながら、屋根用足場を勾配屋根の上に固定された太陽エネルギー収集パネルの上に滑りなく安定的に設置すること。【解決手段】  屋根用足場１０であって、太陽エネルギー収集パネル２００のパネル本体２０１との間に隙間Ｇを介する状態で、そのフレーム２０２の上面に載置される足場本体２０と、足場本体２０の一端部に設けられ、該足場本体２０が載置された太陽エネルギー収集パネル２００の水上側のフレーム２０２の水上側を向く側面に係合する引っ掛け部３０とを有してなるもの。【選択図】  図２
2015203232.tif 000002
【特許請求の範囲】
【請求項１】
パネル本体と該パネル本体の対向する少なくとも２辺に設けられるフレームを有し、それらの２辺に設けられたフレームが勾配屋根の水上側と水下側に配置されて該勾配屋根の上に固定された太陽エネルギー収集パネルの上に設置される屋根用足場であって、
太陽エネルギー収集パネルのパネル本体との間に隙間を介する状態で、そのフレームの上面に載置される足場本体と、
足場本体の一端部に設けられ、該足場本体が載置された太陽エネルギー収集パネルの水上側のフレームの水上側を向く側面に係合する引っ掛け部とを有してなる屋根用足場。
【請求項２】
前記足場本体が緩衝材を介して太陽エネルギー収集パネルのフレームの上面に載置される請求項１に記載の屋根用足場。
【請求項３】
前記引っ掛け部の角部が丸味を付与されてなる請求項１又は２に記載の屋根用足場。
【請求項４】
請求項１〜３のいずれかに記載の屋根用足場が勾配屋根の勾配方向に複数並置されてなる屋根用足場の設置構造であって、
水下側に設置される屋根用足場の引っ掛け部が、水下側太陽エネルギー収集パネルの水上側のフレームと水上側太陽エネルギー収集パネルの水下側のフレームとの間隙部に差し込まれ、該水下側太陽エネルギー収集パネルの水上側のフレームの水上側を向く側面に係合してなる屋根用足場の設置構造。
【発明の詳細な説明】
【技術分野】
【０００１】
本発明は、太陽電池モジュール、太陽熱温水器等の太陽エネルギー収集パネルが固定された勾配屋根の上に設置される屋根用足場及びその設置構造に関する。
【背景技術】
【０００２】
太陽エネルギー収集パネルは、太陽光を電力に変換する等の機能を有し、太陽光を受光するために勾配屋根に固定される。この太陽エネルギー収集パネルは天候の変化、塵埃や飛来物の影響を受け、パネル本体における受光面の透明性が損なわせて発電出力等を低下したり、損傷や故障を生ずるおそれがある。従って、太陽エネルギー収集パネルは清掃、修理等のメンテナンスが必要とされる。
【０００３】
このため、太陽エネルギー収集パネルが固定された屋根の上では、屋根自体のメンテナンスと、太陽エネルギー収集パネルのメンテナンスを行なうために、作業者のための特許文献１に記載の如くの屋根用足場が該太陽エネルギー収集パネルの上に設置されて用いられる。
【０００４】
このとき、太陽エネルギー収集パネルは、パネル本体と該パネル本体の対向する少なくとも２辺に設けられる左右のフレームを有する。そして、屋根用足場は、太陽エネルギー収集パネルのパネル本体に対向して配置される天面部と、天面部の左右両側で該天面部から垂下される左右の側部と、左右の側部の下端に配置されて太陽エネルギー収集パネルの左右のフレームの上に載置される左右の載置部と、左右の側部の下端に配置されて上記左右のフレームの側面に係合する左右の係合部とを備える。
【０００５】
これにより、屋根用足場は、勾配屋根に固定された太陽エネルギー収集パネルの左右のフレームの上に載置部を載置する状態で、左右の係合部を太陽エネルギー収集パネルの勾配方向に沿う左右のフレームの側面に係合し、太陽エネルギー収集パネルに対してパネル本体から上方に離れた位置に天面部を配置することができる。作業者は、太陽エネルギー収集パネルのパネル本体に影響を与えることなく、各種の作業を天面部の上で容易に、効率良く行なうことができる。
【先行技術文献】
【特許文献】
【０００６】
【特許文献１】特開2014-1560号公報
【発明の概要】
【発明が解決しようとする課題】
【０００７】
特許文献１に記載の屋根用足場は、太陽エネルギー収集パネルの左右のフレームが勾配屋根の上に左右の固定具により固定され、作業用足場がその太陽エネルギー収集パネルのフレームの上面に載置されて滑ったとき、左右の係合部が左右の固定具に係止してその滑落を阻止される。
【０００８】
しかしながら、特許文献１に記載の屋根用足場では、屋根用足場の上述の滑落を防ぐため、左右の係合部が勾配屋根の勾配方向に沿って配置されている太陽エネルギー収集パネルの左右のフレームの側面に係合するように設置されること、更には、左右の係合部が係止し得る左右の固定具が存在していることが必要とされる。従って、屋根用足場の設置作業性が悪いし、屋根用足場の設置構造が複雑になる。
【０００９】
本発明の課題は、屋根用足場の設置作業性を簡易にするとともに、設置構造を簡素にしながら、屋根用足場を勾配屋根の上に固定された太陽エネルギー収集パネルの上に滑りなく安定的に設置することにある。
【課題を解決するための手段】
【００１０】
請求項１に係る発明は、パネル本体と該パネル本体の対向する少なくとも２辺に設けられるフレームを有し、それらの２辺に設けられたフレームが勾配屋根の水上側と水下側に配置されて該勾配屋根の上に固定された太陽エネルギー収集パネルの上に設置される屋根用足場であって、太陽エネルギー収集パネルのパネル本体との間に隙間を介する状態で、そのフレームの上面に載置される足場本体と、足場本体の一端部に設けられ、該足場本体が載置された太陽エネルギー収集パネルの水上側のフレームの水上側を向く側面に係合する引っ掛け部とを有してなるようにしたものである。
【００１１】
請求項２に係る発明は、請求項１に係る発明において更に、前記足場本体が緩衝材を介して太陽エネルギー収集パネルのフレームの上面に載置されるようにしたものである。
【００１２】
請求項３に係る発明は、請求項１又は２に係る発明において更に、前記引っ掛け部の角部が丸味を付与されてなるようにしたものである。
【００１３】
請求項４に係る発明は、請求項１〜３のいずれかに記載の屋根用足場が勾配屋根の勾配方向に複数並置されてなる屋根用足場の設置構造であって、水下側に設置される屋根用足場の引っ掛け部が、水下側太陽エネルギー収集パネルの水上側のフレームと水上側太陽エネルギー収集パネルの水下側のフレームとの間隙部に差し込まれ、該水下側太陽エネルギー収集パネルの水上側のフレームの水上側を向く側面に係合してなるようにしたものである。
【発明の効果】
【００１４】
（請求項１）
(a)屋根用足場は、足場本体の一端側に設けられた引っ掛け部を、該足場本体が載置された太陽エネルギー収集パネルの水上側のフレームの水上側を向く側面に係合することで、勾配屋根の上における滑落を防ぐものになる。
【００１５】
足場本体の一端部に設けられた引っ掛け部が、太陽エネルギー収集パネルの水上側のフレームの水上側の一側面だけに係合するように設置すれば足り、設置作業性は簡易である。
【００１６】
足場本体の一端部に設けられた引っ掛け部は、太陽エネルギー収集パネルの水上側のフレームの水上側を向く側面に係合して滑落阻止され、他の滑落防止用部材の存在を必要とせず、設置構造は簡素になる。
【００１７】
（請求項２）
(b)屋根用足場は、足場本体が太陽エネルギー収集パネルのフレームの上面に載置され、太陽エネルギー収集パネルのパネル本体との間に隙間を介するとき、緩衝材の存在が、足場本体と太陽エネルギー収集パネルのフレームとの接触による太陽エネルギー収集パネルのキズつきを防止できる。
【００１８】
（請求項３）
(c)屋根用足場は、足場本体の一端部に設けられた引っ掛け部を太陽エネルギー収集パネルの水上側のフレームの水上側を向く側面に係合させる設置作業時に、引っ掛け部の角部に付与した丸味の存在が、引っ掛け部の角部と太陽エネルギー収集パネルとの接触による太陽エネルギー収集パネルのキズつきを防止する。
【００１９】
（請求項４）
(d)水下側に設置される屋根用足場の引っ掛け部が、水下側太陽エネルギー収集パネルの水上側のフレームと水上側太陽エネルギー収集パネルの水下側のフレームとの間隙部に差し込まれ、該水下側太陽エネルギー収集パネルの水上側のフレームの水上側を向く側面に係合するように設置される。これにより、複数の屋根用足場を勾配屋根の上に固定された複数の太陽エネルギー収集パネルの上でそれらの勾配方向に整然と並置し、上述(a)〜(c)を実現できる。
【図面の簡単な説明】
【００２０】
【図１】図１は勾配屋根の上に並置された複数の太陽エネルギー収集パネルを示す模式図である。
【図２】図２は図１のII部を示し、（Ａ）は断面図、（Ｂ）は要部拡大断面図である。
【図３】図３は屋根用足場を示す平面図である。
【図４】図４は屋根用足場を示す底面図である。
【図５】図５は屋根用足場を示す正面図である。
【図６】図６は屋根用足場を示す側面図である。
【発明を実施するための形態】
【００２１】
屋根用足場１０は、図１、図２に示す如く、ユニット建物等の建物１００の勾配屋根１０１の上に固定された太陽電池モジュールである太陽エネルギー収集パネル２００の上に設置される。本実施例において、太陽エネルギー収集パネル２００は、勾配屋根１０１の勾配方向（上下方向）に複数段、本実施例では上下５段をなして並置され、勾配屋根１０１の勾配方向に直交する方向（左右方向）に複数列、本実施例では左右５列をなして並置され、結果として、全２５個の太陽エネルギー収集パネル２００が勾配屋根１０１の上に固定されている。
【００２２】
太陽エネルギー収集パネル２００は、平面視で矩形状とされるパネル本体２０１と、パネル本体２０１の外周の対向する少なくとも上下２辺、本実施例では全周の左右上下４辺に固定化されたフレーム２０２を有する。
【００２３】
太陽エネルギー収集パネル２００は、不図示の固定具により勾配屋根１０１の上に固定される。本実施例において、太陽エネルギー収集パネル２００は、勾配屋根１０１の勾配方向の水上側と水下側に位置することとなる水上側フレーム２０２Ｕと水下側フレーム２０２Ｄのそれぞれが、不図示の固定具を介して勾配屋根１０１の水上側と水下側に配置され、勾配屋根１０１の上に固定される。太陽エネルギー収集パネル２００は、不図示の固定具により勾配屋根１０１の上に固定されたとき、勾配屋根１０１の上面との間に一定の間隔を介する。
【００２４】
屋根用足場１０は、図２〜図６に示す如く、足場本体２０と引っ掛け部３０とを有する。足場本体２０は、太陽エネルギー収集パネル２００のパネル本体２０１の上面２０１Ｅとの間に後述する隙間Ｇを介する状態で、そのフレーム２０２の上面２０２Ｅに載置される。引っ掛け部３０は、足場本体２０の一端部に設けられ、該足場本体２０が載置された太陽エネルギー収集パネル２００の水上側フレーム２０２Ｕの水上側を向く側面２０２Ｆに、水上側から係合する（図２）。
【００２５】
本実施例では、勾配屋根１０１の勾配方向に直交する方向において左右５列をなして並置されている各列で、勾配屋根１０１の勾配方向において上下５段をなして並置されている５個の太陽エネルギー収集パネル２００のそれぞれに対し、各１個の屋根用足場１０が設置される。作業者は、左右５列をなして並置されている太陽エネルギー収集パネル２００の各列で、はしごを用いて勾配屋根１０１の軒先から最下段である１段目の太陽エネルギー収集パネル２００の上に１段目となる屋根用足場１０を設置し、１段目の屋根用足場１０の上に乗って２段目の太陽エネルギー収集パネル２００の上に２段目となる屋根用足場１０を設置し、この繰り返しによって上下５段をなす全ての太陽エネルギー収集パネル２００の上に各屋根用足場１０を設置する。
【００２６】
複数の屋根用足場１０を、上述の如くに、勾配屋根１０１の勾配方向の水上側と水下側に配置されて該勾配屋根１０１の上に固定されている太陽エネルギー収集パネル２００の上に並置するとき、水下側に設置される屋根用足場１０の引っ掛け部３０は以下の如くに配置される。即ち、水下側に設置される屋根用足場１０の引っ掛け部３０は、図２に示す如く、水下側の太陽エネルギー収集パネル２００Ｌの水上側フレーム２０２Ｕと水上側の太陽エネルギー収集パネル２００Ｈの水下側フレーム２０２Ｄとの間隙部Ｋに差し込まれ、該水下側の太陽エネルギー収集パネル２００Ｌの水上側フレーム２０２Ｕの水上側を向く側面２０２Ｆに水上側から係合する。
【００２７】
以下、屋根用足場１０の詳細な構成について説明する。
屋根用足場１０の足場本体２０は、太陽エネルギー収集パネル２００と概ね同一長をなす横架材２１と、横架材２１の上面の長手方向複数位置に固定されて作業者の足がかかる滑り止め板２２とから構成される。横架材２１は例えば複数本（本実施例では３本）のコ型断面のアルミ型材からなり、例えば複数枚（本実施例では５枚）のアルミ平板材からなる滑り止め板２２のそれぞれが、それらの相並ぶ横架材２１の全部の上面に行き亘るように交差配置されてそれらの横架材２１に溶接され、結果として、複数本の横架材２１が一体化された足場本体２０が構成される。
【００２８】
足場本体２０は、コ型断面のアルミ型材からなる各横架材２１の一端部と他端部の端面と下面に被着される端面蓋２３を有する。端面蓋２３は、例えばＬ型断面のアルミ型材からなり、Ｌ型断面の２辺が相並ぶ横架材２１に対し、それらの全部の端部に行き亘るように交差配置されてそれらの端部の端面と下面に溶接され、それらの端部の開口を閉じるとともに、それらの端面と下面の交差角部を覆う。端面蓋２３は、各横架材２１の端面と下面の交差角部をそのアルミ型材のＬ型断面の角部２３Ｒで覆い、その角部２３Ｒに丸味を付与し、太陽エネルギー収集パネル２００との接触による太陽エネルギー収集パネル２００のキズつきを防止する。
【００２９】
屋根用足場１０の引っ掛け部３０は、足場本体２０の一端部の下面に固定される。引っ掛け部３０は、例えばＬ型断面のアルミ型材からなり、Ｌ型断面の一辺からなる取付辺３１の上面が足場本体２０の一端部の下面、本実施例では足場本体２０を構成している端面蓋２３の下面に溶接され、Ｌ型断面の他辺からなる引っ掛け辺３２が足場本体２０の反対方向へ突き出るように配置される。この引っ掛け辺３２が太陽エネルギー収集パネル２００の水上側フレーム２０２Ｕの水上側を向く側面２０２Ｆに、水上側から係合するものになる。
【００３０】
引っ掛け部３０は、引っ掛け辺３２の長手方向の両端部の下側角部３２Ｒ（図６）に丸味を付与する。この角部３２Ｒが、太陽エネルギー収集パネル２００との接触による太陽エネルギー収集パネル２００のキズつきを防止する。
【００３１】
尚、足場本体２０の他端部の下面、本実施例では足場本体２０を構成している端面蓋２３の下面に、例えばアルミ板からなる取付板３３が溶接される。取付板３３は引っ掛け部３０の取付辺３１と同一板厚をなす。
【００３２】
屋根用足場１０は、足場用本体２０が緩衝材４０を介して太陽エネルギー収集パネル２００のフレーム２０２の上面に載置される。緩衝材４０は、本実施例では、例えばゴム板からなり、引っ掛け部３０の取付辺３１の下面と取付板３３の下面のそれぞれに接着される。この緩衝材４０が、太陽エネルギー収集パネル２００のフレーム２０２の上面２０２Ｅとの接触による太陽エネルギー収集パネル２００のキズつきを防止する。
【００３３】
従って、屋根用足場１０が太陽エネルギー収集パネル２００におけるフレーム２０２の上面２０２Ｅに設置されたとき、屋根用足場１０における足場本体２０の横架材２１と太陽エネルギー収集パネル２００のパネル本体２０１の上面２０１Ｅとの間には、図２に示す如く、フレーム２０２の上面２０２Ｅがパネル本体２０１の上面２０１Ｅとの間になす段差、緩衝材４０の板厚、引っ掛け部３０の取付辺３１の板厚、端面蓋２３の板厚の合計寸法からなる隙間Ｇが形成され、パネル本体２０１を保護する。
【００３４】
本実施例によれば以下の作用効果を奏する。
(a)屋根用足場１０は、足場本体２０の一端側に設けられた引っ掛け部３０を、該足場本体２０が載置された太陽エネルギー収集パネル２００の水上側フレーム２０２Ｕの水上側を向く側面に係合することで、勾配屋根１０１の上における滑落を防ぐものになる。
【００３５】
足場本体２０の一端部に設けられた引っ掛け部３０が、太陽エネルギー収集パネル２００の水上側フレーム２０２Ｕの水上側の一側面だけに係合するように設置すれば足り、設置作業性は簡易である。
【００３６】
足場本体２０の一端部に設けられた引っ掛け部３０は、太陽エネルギー収集パネル２００の水上側フレーム２０２Ｕの水上側を向く側面に係合して滑落阻止され、他の滑落防止用部材の存在を必要とせず、設置構造は簡素になる。
【００３７】
(b)屋根用足場１０は、足場本体２０が太陽エネルギー収集パネル２００のフレームの上面に載置され、太陽エネルギー収集パネル２００のパネル本体２０１との間に隙間Ｇを介するとき、緩衝材４０の存在が、足場本体２０と太陽エネルギー収集パネル２００のフレームとの接触による太陽エネルギー収集パネル２００のキズつきを防止できる。
【００３８】
(c)屋根用足場１０は、足場本体２０の一端部に設けられた引っ掛け部３０を太陽エネルギー収集パネル２００の水上側フレーム２０２Ｕの水上側を向く側面に係合させる設置作業時に、引っ掛け部３０の角部３２Ｒに付与した丸味の存在が、引っ掛け部３０の角部３２Ｒと太陽エネルギー収集パネル２００との接触による太陽エネルギー収集パネル２００のキズつきを防止する。
【００３９】
(d)水下側に設置される屋根用足場１０の引っ掛け部３０が、水下側太陽エネルギー収集パネル２００Ｌの水上側フレーム２０２Ｕと水上側太陽エネルギー収集パネル２００Ｈの水下側フレーム２０２Ｄとの間隙部Ｋに差し込まれ、該水下側太陽エネルギー収集パネル２００Ｌの水上側フレーム２０２Ｕの水上側を向く側面に係合するように設置される。これにより、複数の屋根用足場１０を勾配屋根１０１の上に固定された複数の太陽エネルギー収集パネル２００の上でそれらの勾配方向に整然と並置し、上述(a)〜(c)を実現できる。
【００４０】
以上、本発明の実施例を図面により詳述したが、本発明の具体的な構成はこの実施例に限られるものではなく、本発明の要旨を逸脱しない範囲の設計の変更等があっても本発明に含まれる。例えば、屋根用足場を構成する引っ掛け部は足場本体に一体成形されて設けられていても良い。
【００４１】
また、屋根用足場に設けられる緩衝材は引っ掛け部に取付けられるものに限らず、足場本体に取付けられるものであっても良い。
【００４２】
また、本発明の屋根用足場が設置される太陽エネルギー収集パネルは、太陽熱温水器等であっても良い。
【産業上の利用可能性】
【００４３】
本発明によれば、屋根用足場の設置作業性を簡易にするとともに、設置構造を簡素にしながら、屋根用足場を勾配屋根の上に固定された太陽エネルギー収集パネルの上に滑りなく安定的に設置することができる。
【符号の説明】
【００４４】
１０  屋根用足場
２０  足場本体
３０  引っ掛け部
４０  緩衝材
１０１  勾配屋根
２００  太陽エネルギー収集パネル
２００Ｌ  水下側太陽エネルギー収集パネル
２００Ｕ  水上側太陽エネルギー収集パネル
２０１  パネル本体
２０１Ｅ  上面
２０２  フレーム
２０２Ｄ  水下側フレーム
２０２Ｕ  水上側フレーム
２０２Ｅ  上面
【図１】
2015203232.tif 000003
【図２】
2015203232.tif 000004
【図３】
2015203232.tif 000005
【図４】
2015203232.tif 000006
【図５】
2015203232.tif 000007
【図６】
2015203232.tif 000008